(57)【要約】物理ダウンリンク共有チャネル（ＰＤＳＣＨ）のための少なくとも１つのコンポーネントキャリア（ＣＣ）を構成する方法。その方法は、信号伝達プロトコルを使用して、ＣＣ構成を受信するステップを含み、ＣＣは、半静的構成を使用して割り当てられる。また、含まれるのは、信号伝達プロトコルを使用して、ＰＤＳＣＨのための少なくとも１つのＣＣのＣＣ構成を受信するように構成されるプロセッサであって、ユーザ機器（ＵＥ）が含まれ、ＣＣは、半静的構成を使用して割り当てられる。また、含まれるのは、信号伝達プロトコルを使用して、ＰＤＳＣＨのための少なくとも１つのＣＣのＣＣを伝送るように構成されるプロセッサを備えるアクセスノードであって、ＣＣは、半静的構成を使用して割り当てられる。【選択図】図２
2012522472.tif 000002
【特許請求の範囲】
【請求項１】
物理ダウンリンク共有チャネル（ＰＤＳＣＨ）のための少なくとも１つのコンポーネントキャリア（ＣＣ）を構成する方法であって、
信号伝達プロトコルを使用して、ＣＣ構成を受信することを含み、該ＣＣは、半静的構成を使用して割り当てられる、方法。
【請求項２】
前記ＰＤＳＣＨのための１つのＣＣを使用して、ユーザ機器のバッテリ消費を低減させるためのＣＣ構成を受信することをさらに含む、請求項１に記載の方法。
【請求項３】
前記ＰＤＳＣＨのために最大許容のＣＣを使用して、データスループットを最大にするＣＣ構成を受信することをさらに含む、請求項１に記載の方法。
【請求項４】
前記ＰＤＳＣＨのためのＣＣ構成は、ユーザ機器のためのトラフィック負荷に基づいている、請求項１に記載の方法。
【請求項５】
前記信号伝達プロトコルを使用して、前記ＰＤＳＣＨと関連付けられた物理ダウンリンク制御チャネル（ＰＤＣＣＨ）のための少なくとも１つのＣＣのＣＣ構成を受信することをさらに含み、該ＣＣは、前記半静的構成を使用して割り当てられる、請求項１に記載の方法。
【請求項６】
前記ＰＤＣＣＨは、分離符号化方式を使用して構成され、同一ＣＣが、同一信号伝達パラメータを使用して、前記ＰＤＳＣＨおよび前記関連付けられたＰＤＣＣＨに割り当てられる、請求項５に記載の方法。
【請求項７】
前記ＰＤＣＣＨは、結合符号化方式を使用して構成され、異なるＣＣが、ビットマップを使用して、前記ＤＬおよび前記関連付けられたＰＤＣＣＨに割り当てられる、請求項５に記載の方法。
【請求項８】
前記信号伝達プロトコルは、無線リソース制御（ＲＲＣ）プロトコルまたはメディアアクセス制御（ＭＡＣ）信号伝達である、請求項１に記載の方法。
【請求項９】
信号伝達プロトコルを使用して、アップリンク（ＵＬ）のための少なくとも１つのＣＣのＣＣ構成を伝送することをさらに含み、該ＣＣは、前記半静的構成を使用して割り当てられる、請求項１に記載の方法。
【請求項１０】
前記信号伝達プロトコルを使用して、前記ＵＬと関連付けられた物理アップリンク制御チャネル（ＰＵＣＣＨ）のための少なくとも１つのＣＣのＣＣ構成を伝送することをさらに含み、該ＣＣは、前記半静的構成を使用して割り当てられる、請求項１に記載の方法。
【請求項１１】
物理ダウンリンク共有チャネル（ＰＤＳＣＨ）のための少なくとも１つの（ＣＣ）を構成する方法であって、信号伝達プロトコルを使用してＣＣ構成を伝送することを含み、該ＣＣは、半静的構成を使用して割り当てられる、方法。
【請求項１２】
前記信号伝達プロトコルを使用して、前記ＰＤＳＣＨと関連付けられた物理ダウンリンク制御チャネル（ＰＤＣＣＨ）のための少なくとも１つのＣＣのＣＣ構成を伝送することをさらに含み、該ＣＣは、前記半静的構成を使用して割り当てられる、請求項１１に記載の方法。
【請求項１３】
信号伝達プロトコルを使用して、アップリンク（ＵＬ）のための少なくとも１つのＣＣのＣＣ構成を受信することをさらに含み、該ＣＣは、前記半静的構成を使用して割り当てられる、請求項１１に記載の方法。
【請求項１４】
前記信号伝達プロトコルを使用して、前記ＵＬと関連付けられた物理アップリンク制御チャネル（ＰＵＣＣＨ）のための少なくとも１つのＣＣのＣＣ構成を受信することをさらに含み、該ＣＣは、前記半静的構成を使用して割り当てられる、請求項１１に記載の方法。
【請求項１５】
ユーザ機器（ＵＥ）であって、
信号伝達プロトコルを使用して、物理ダウンリンク共有チャネル（ＰＤＳＣＨ）のための少なくとも１つのＣＣのためのコンポーネントキャリア（ＣＣ）構成を受信するように構成されるプロセッサを含み、該ＣＣは、半静的構成を使用して割り当てられる、ＵＥ。
【請求項１６】
前記プロセッサは、前記ＰＤＳＣＨのための１つのＣＣを使用してバッテリ消費を低減させるためのＣＣ構成をさらに受信する、請求項１５に記載のＵＥ。
【請求項１７】
前記プロセッサは、前記ＰＤＳＣＨのための最大許容ＣＣを使用してデータスループットを最大にするＣＣ構成をさらに受信する、請求項１５に記載のＵＥ。
【請求項１８】
前記プロセッサは、前記信号伝達プロトコルを使用して、前記ＰＤＳＣＨと関連付けられた物理ダウンリンク制御チャネル（ＰＤＣＣＨ）のための少なくとも１つのＣＣのＣＣ構成をさらに受信し、該ＣＣは、前記半静的構成を使用して割り当てられる、請求項１５に記載のＵＥ。
【請求項１９】
前記割り当てられたＣＣは、「開始時間」を使用してアクセスノードと同期され得る、請求項１５に記載のＵＥ。
【請求項２０】
前記プロセッサは、信号伝達プロトコルを使用してアップリンク（ＵＬ）のための少なくとも１つのＣＣのＣＣ構成をさらに伝送し、該ＣＣは、前記半静的構成を使用して割り当てられる、請求項１５に記載のＵＥ。
【請求項２１】
前記プロセッサは、前記信号伝達プロトコルを使用して、前記ＵＬと関連付けられた物理アップリンク制御チャネル（ＰＵＣＣＨ）のための少なくとも１つのＣＣのＣＣ構成をさらに伝送し、該ＣＣは、前記半静的構成を使用して割り当てられる、請求項１５に記載のＵＥ。
【請求項２２】
アクセスノードであって、
信号伝達プロトコルを使用して、物理ダウンリンク共有チャネル（ＰＤＳＣＨ）のための少なくとも１つのコンポーネントキャリア（ＣＣ）のＣＣ構成を伝送するように構成されるプロセッサを備え、該ＣＣは、半静的構成を使用して割り当てられる、アクセスノード。
【請求項２３】
前記ＰＤＳＣＨのためのＣＣ構成は、ユーザ機器のためのトラフィック負荷（ＵＥ）に基づいている、請求項２２に記載のアクセスノード。
【請求項２４】
前記プロセッサは、前記信号伝達プロトコルを使用して、前記ＰＤＳＣＨと関連付けられた物理ダウンリンク制御チャネル（ＰＤＣＣＨ）のための少なくとも１つのＣＣのＣＣ構成をさらに伝送し、該ＣＣは、前記半静的構成を使用して割り当てられる、請求項２２に記載のアクセスノード。
【請求項２５】
前記割り当てられるＣＣの数が減少させられることにより、前記ＵＥの電力消費を低減させる、請求項２２に記載のアクセスノード。
【請求項２６】
前記割り当てられるＣＣの数が増加させられることにより、前記ＵＥのための前記伝送データ速度の増加を支援する、請求項２２に記載のアクセスノード。
【請求項２７】
前記プロセッサは、信号伝達プロトコルを使用して、アップリンク（ＵＬ）のための少なくとも１つのＣＣのＣＣ構成をさらに受信し、該ＣＣは、前記半静的構成を使用して割り当てられる、請求項２２に記載のアクセスノード。
【請求項２８】
前記プロセッサは、前記信号伝達プロトコルを使用して、前記ＵＬと関連付けられた物理アップリンク制御チャネル（ＰＵＣＣＨ）のための少なくとも１つのＣＣのＣＣ構成をさらに受信し、該ＣＣは、前記半静的構成を使用して割り当てられる、請求項２２に記載のアクセスノード。
【発明の詳細な説明】
【技術分野】
【０００１】
本明細書で使用されるように、用語「ユーザ機器」および「ＵＥ」は、携帯電話、携帯情報端末、携帯用またはラップトップコンピュータ、および電気通信能力を有する同様のデバイス等、携帯デバイスを指すことが可能である。そのようなＵＥは、加入者識別モジュール（ＳＩＭ）アプリケーション、汎用加入者識別モジュール（ＵＳＩＭ）アプリケーション、または取外し可能ユーザ識別モジュール（Ｒ−ＵＩＭ）アプリケーションを含む、無線デバイスおよびその関連汎用集積回路カード（ＵＩＣＣ）から成る場合があり、またはそのようなカードを伴わないデバイス自体から成る場合がある。また、用語「ＵＥ」は、固定回線電話、デスクトップコンピュータ、セットトップボックス、またはネットワークノード等、類似能力を有するが、運搬可能ではないデバイスを指すことも可能である。ＵＥがネットワークノードである時、ネットワークノードは、無線デバイスまたは固定回線デバイス等の別の機能に代わって作用し、無線デバイスまたは固定回線デバイスをシミュレートまたはエミュレートし得る。例えば、いくつかの無線デバイスの場合、典型的にはデバイス上に常駐するＩＰ（インターネットプロトコル）マルチメディアサブシステム（ＩＭＳ）セッション開始プロトコル（ＳＩＰ）クライアントは、実際は、ネットワーク内に常駐し、最適化されたプロトコルを使用して、デバイスにＳＩＰメッセージ情報を中継する。言い換えれば、従来、無線デバイスによって実行されていたいくつかの機能は、遠隔ＵＥの形態で分布することが可能であって、その場合、遠隔ＵＥは、ネットワーク内の無線デバイスを表す。また、用語「ＵＥ」は、ユーザのための通信セッションを終結させることが可能な、任意のハードウェアまたはソフトウェアコンポーネントも指し得る。また、用語「ユーザエージェント」、「ＵＡ」、「ユーザデバイス」、および「ユーザノード」は、本明細書では同意語として使用される場合がある。
【発明の概要】
【課題を解決するための手段】
【０００２】
技術が発達するにつれて、以前は可能ではなかったサービスを提供することができる、より高度なネットワークアクセス機器が導入されてきた。本ネットワークアクセス機器は、従来の無線電気通信システムにおける同等機器の改良である、システムおよびデバイスを含む場合がある。そのような高度または次世代機器は、ロング・ターム・エボリューション（ＬＴＥ）またはＬＴＥ−Ａｄｖａｎｃｅｄ（ＬＴＥ−Ａ）等の進化型無線通信規格に含まれ得る。例えば、ＬＴＥまたはＬＴＥ−Ａシステムは、従来の基地局ではなく、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）ノードＢ（ｅＮＢ）、無線アクセスポイント、または類似コンポーネントを含む場合がある。本明細書で使用されるように、用語「アクセスノード」は、従来の基地局、無線アクセスポイント、ＬＴＥまたはＬＴＥ−Ａ  ｅＮＢ、あるいはＵＥまたは中継ノードを電気通信システム内の他のコンポーネントにアクセス可能にする受信および伝送範囲の地理的面積を創出する、ルータ等の無線ネットワークの任意のコンポーネントを指すであろう。本書では、用語「アクセスノード」および「アクセスデバイス」は、互換可能に使用され得るが、アクセスノードは、複数のハードウェアおよびソフトウェアを備えてもよいことが理解される。
【図面の簡単な説明】
【０００３】
ここで、本開示のより完全な理解のために、添付の図面および発明を実施するための形態と関連して、以下の簡単な説明を参照する（類似参照数字は、類似部品を表す）。
【図１】図１は、本開示の実施形態による、無線通信システムの実施形態の略図である。
【図２】図２は、本開示の実施形態による、分離符号化方式の実施形態の略図である。
【図３】図３は、本開示の実施形態による、分離符号化方式の別の実施形態の略図である。
【図４】図４は、本開示の実施形態による、結合符号化方式の実施形態の略図である。
【図５】図５は、本開示の実施形態による、結合符号化方式の別の実施形態の略図である。
【図６】図６は、本開示の実施形態による、ダウンリンクのための複数のＣＣを構成するための方法の工程図である。
【図７】図７は、本開示のいくつかの実施形態を実装するために好適なプロセッサおよび関連コンポーネントを図示する。
【発明を実施するための形態】
【０００４】
最初に、本開示の１つ以上の実施形態の例示的実装を以下で提供するが、開示されたシステムおよび／または方法は、現在既知であるか、または既存であるかにかかわらず、任意の数の技法を使用して実装されてもよいことを理解されたい。本開示は、本明細書において例示および説明される例示的設計および実装を含む、以下で例示される例示的実装、図面、および技法に決して限定されるべきではないが、同等物の全範囲とともに、添付の請求項の範囲内で修正されてもよい。
【０００５】
ある場合には、短時間で大量のデータをＵＥに伝送することが、アクセスデバイスにとって望ましい。例えば、ビデオキャストは、短時間にわたってＵＥに伝送される必要がある大量のオーディオおよびビデオデータを含み得る。別の事例として、ＵＥは、すべて、略同時に、データパケットをアクセスデバイスに伝送する必要があるいくつかのアプリケーションを実行し、組み合わされたデータ転送を極端に大量にさせ得る。データ伝送の速度を増加させるための方法の１つは、多重コンポーネントキャリア（ＣＣ）、例えば、単一ＣＣの代わりに、多重キャリア周波数を使用して、アクセスデバイスとＵＥとの間で通信することである。
【０００６】
ＬＴＥ−Ａは、ＬＴＥの主要強化として、３ｒｄ  Ｇｅｎｅｒａｔｉｏｎ  Ｐａｒｔｎｅｒｓｈｉｐ  Ｐｒｏｊｅｃｔ（３ＧＰＰ）によって現在調査が行われているモバイル通信規格である。ＬＴＥ−Ａでは、アクセスデバイスは、複数のＣＣを使用して、ユーザデータをＵＥに伝送し得る。ＣＣは、所定の組み合わされた帯域幅にわたって略均等に分布させられ得、例えば、各ＣＣは、組み合わされた帯域幅の略均等な部分を備え得る。また、ＣＣは、物理ダウンリンク制御チャネル（ＰＤＣＣＨ）を介して、制御データを伝送するために使用され得る。ユーザデータおよび制御データは、分離符号化を使用して伝送されてもよく、その場合、複数のＰＤＣＣＨおよび複数の対応するＣＣが、ＵＥに配分され得、または結合符号化を使用して伝送されてもよく、その場合、共有ＰＤＣＣＨおよび複数の関連付けられたＣＣが、配分され得る。
【０００７】
本明細書に開示されるのは、複数のＣＣをユーザデータ伝送およびＰＤＣＣＨ伝送に割り当てるためのシステムおよび方法である。半静的構成を使用して、アクセスデバイスは、ＣＣをＵＥに割り当て、続いて、ＵＥのために割り当てられたＣＣを切り替えるか、または変更してもよい。半静的構成では、アクセスデバイスは、ＵＥ、例えば、無線リソース制御（ＲＲＣ）信号伝達またはメディアアクセス制御（ＭＡＣ）信号伝達等の信号伝達プロトコルを使用して、信号伝達してもよい。分離符号化の場合、ユーザデータ伝送および対応するＰＤＣＣＨのための同一ＣＣが、同一パラメータを使用して信号伝達されてもよい。結合符号化の場合、異なるＣＣが、例えば、ビットマップを使用して、ユーザデータ伝送およびＰＤＣＣＨのために信号伝達され、信号伝達オーバーヘッドを低減させてもよい。また、半静的構成は、ユーザデータおよび制御データをＵＥからアクセスデバイスに転送するために確立されるアップリンク（ＵＬ）のために実装されてもよい。
【０００８】
図１は、無線通信システム１００の実施形態を例示する。図１は、例示であって、他の実施形態では、他のコンポーネントまたは配列を有してもよい。無線通信システム１００は、少なくとも１つのＵＥ１１０と、アクセスデバイス１２０とを備えてもよい。ＵＥ１１０は、無線リンクを経由して、ネットワークアクセスデバイス１２０と無線通信してもよい。無線リンクは、ＬＴＥ、ＧＳＭ（登録商標）、ＧＰＲＳ／ＥＤＧＥ、Ｈｉｇｈ  Ｓｐｅｅｄ  Ｐａｃｋｅｔ  Ａｃｃｅｓｓ（ＨＳＰＡ）、およびＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）を含む、３ＧＰＰに説明されているもの等、複数の電気通信規格またはイニシアチブのうちのいずれかに準拠してもよい。加えて、または代替として、無線リンクは、Ｉｎｔｅｒｉｍ  Ｓｔａｎｄａｒｄ  ９５（ＩＳ−９５）、Ｃｏｄｅ  Ｄｉｖｉｓｉｏｎ  Ｍｕｌｔｉｐｌｅ  Ａｃｃｅｓｓ（ＣＤＭＡ）２０００規格１ｘＲＴＴ、または１ｘＥＶ−ＤＯを含む、３ＧＰＰ２に説明されている複数の規格のうちのいずれかに準拠してもよい。また、無線リンクは、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）、またはＷｉＭＡＸフォーラム等の他の産業フォーラムによって説明されているもの等、他の規格と互換性があってもよい。
【０００９】
アクセスデバイス１２０は、ｅＮＢ、基地局、またはＵＥ１１０のためのネットワークアクセスを促進する他のコンポーネントであってもよい。アクセスデバイス１２０は、直接リンクを経由して、直接、同一セル１３０内にあり得る任意のＵＥ１１０と通信してもよい。例えば、直接リンクは、アクセスデバイス１２０とＵＥ１１０との間に確立される２地点間リンクであって、２つの間の信号を送受信するために使用されてもよい。また、ＵＥ１１０は、同一セル内の少なくとも第２のＵＥ１１０と通信してもよい。また、アクセスデバイス１２０は、他のコンポーネントまたはデバイス（図示せず）と通信し、無線通信システム１００のこれらの他のコンポーネントに、他のネットワークへのアクセスを提供してもよい。
【００１０】
ＵＥ１１０およびアクセスデバイス１２０は、少なくとも１つのダウンリンク（ＤＬ）チャネル、少なくとも１つのアップリンク（ＵＬ）チャネル、または両方を経由して無線通信してもよい。ダウンリンクおよびアップリンクチャネルは、物理的チャネルであって、静的、半静的、または動的に配分されるネットワークリソースであってもよい。例えば、ダウンリンクおよびアップリンクチャネルは、少なくとも１つの物理ダウンリンク共有チャネル（ＰＤＳＣＨ）、少なくとも１つの物理ダウンリンク制御チャネル（ＰＤＣＣＨ）、少なくとも１つの物理アップリンク共有チャネル（ＰＵＳＣＨ）、少なくとも１つの物理アップリンク制御チャネル（ＰＵＣＣＨ）、またはそれらの組み合わせを備えてもよい。ある実施形態では、ダウンリンクおよびアップリンクチャネルは、周波数分割デュプレキシング（ＦＤＤ）を使用して確立されてもよく、その場合、信号は、異なる周波数で送受信される。加えて、または代替として、ダウンリンクおよびアップリンクチャネルは、時分割を使用して確立されてもよく、その場合、信号は、異なる伝送時間間隔（ＴＴＩ）で、伝送、受信、または両方が行われてもよい。
【００１１】
ある実施形態では、アクセスデバイス１２０は、音声、ビデオ、または他の通信データ等のユーザデータを、ＰＤＳＣＨ等のＤＬを介してＵＥ１１０に伝送してもよい。また、アクセスデバイス１２０は、リソース配分およびハイブリッド自動再送要求（ＨＡＲＱ）情報等の制御データを、ＰＤＣＣＨを介してＵＥに伝送してもよい。アクセスデバイス１２０は、ＵＥ１１０から、ＰＵＳＣＨ等のＵＬを介して、ユーザデータを、ＰＵＣＣＨを介して、制御データを、または両方を受信してもよい。無線通信システム１００は、ＬＴＥ−Ａ規格に対応してもよく、その場合、ユーザデータおよび制御データは、所定の帯域幅に及ぶ複数のＣＣを使用して転送されてもよい。例えば、ユーザデータおよび制御データは、合計約１００メガヘルツ（ＭＨｚ）の組み合わされた帯域幅にわたって、略等しく分布させられ、例えば、各ＣＣは、約２０メガヘルツ（ＭＨｚ）の帯域幅を備え得る約５つのＣＣを使用して伝送されてもよい。また、ユーザデータおよび制御データは、３ＧＰＰ  Ｒｅｌｅａｓｅ  ８（Ｒ８）規格を使用して、各ＣＣを介して転送されてもよい。したがって、データは、Ｒ８規格を使用する単一ＣＣを介して、またはＬＴＥ−Ａ規格を使用する多重ＣＣを介して、受信されてもよい。
【００１２】
図２は、複数のユーザデータストリーム２１０ａ、２１０ｂ、および２１０ｃと、それぞれ、ユーザデータストリーム２１０ａ、２１０ｂ、および２１０ｃに対応する複数の制御データストリーム２２０ａ、２２０ｂ、および２２０ｃとを転送するために使用され得る分離符号化方式２００の実施形態を例示する。ユーザデータストリーム２１０ａ、２１０ｂ、および２１０ｃと、制御データストリーム２２０ａ、２２０ｂ、および２２０ｃとは、複数のＰＤＳＣＨならびにＰＤＳＣＨと関連付けられた複数のＰＤＣＣＨを介して、複数のＣＣ、ＣＣ１、ＣＣ２、およびＣＣ３を使用して伝送されてもよい。具体的には、異なるユーザデータストリーム２１０ａ、２１０ｂ、および２１０ｃと対応する制御データストリーム２２０ａ、２２０ｂ、および２２０ｃは、異なるＣＣ、ＣＣ１、ＣＣ２、およびＣＣ３を使用して伝送されてもよい。加えて、ユーザデータストリーム２１０ａ、２１０ｂ、および２１０ｃと対応する制御データ２２０ａ、２２０ｂ、および２２０ｃはそれぞれ、各ＰＤＳＣＨならびに各関連付けられたＰＤＣＣＨを介して、同一ＣＣ１、ＣＣ２、またはＣＣ３を使用して伝送されてもよい。例えば、ユーザデータストリーム２１０ａおよび対応する制御データストリーム２２０ａは、ＣＣ１を使用して伝送されてもよく、ユーザデータストリーム２１０ｂおよび対応する制御データストリーム２２０ｂは、ＣＣ２を使用して伝送されてもよく、ユーザデータストリーム２１０ｃおよび対応する制御データストリーム２２０ｃは、ＣＣ３を使用して伝送されてもよい。また、ユーザデータストリーム２１０ａ、２１０ｂ、および２１０ｃと対応する制御データストリーム２２０ａ、２２０ｂ、および２２０ｃは、約１ミリ秒に等しくあり得る同一のサブフレーム内で伝送されてもよい。
【００１３】
図３は、また、複数のユーザデータストリーム３１０ａ、３１０ｂ、および３１０ｃと、それぞれ、ユーザデータストリーム３１０ａ、３１０ｂ、および３１０ｃに対応する、複数の制御データストリーム３２０ａ、３２０ｂ、および３２０ｃを転送するために使用され得る分離符号化方式３００の実施形態を例示する。分離符号化方式２００と同様に、ユーザデータストリーム３１０ａ、３１０ｂ、および３１０ｃと対応する制御データストリーム３２０ａ、３２０ｂ、および３２０ｃは、複数のＰＤＳＣＨならびに複数の関連付けられたＰＤＣＣＨを介して、複数のＣＣ、ＣＣ１、ＣＣ２、およびＣＣ３を使用して伝送されてもよい。しかしながら、ユーザデータストリーム３１０ａ、３１０ｂ、または３１０ｃと対応する制御データストリーム３２０ａ、３２０ｂ、および３２０ｃはいずれも、異なるＣＣを使用してＰＤＳＣＨならびに関連付けられたＰＤＣＣＨを介して伝送されてもよい。例えば、ユーザデータストリーム３１０ａは、ＣＣ１を使用して伝送されてもよく、対応する制御データストリーム３２０ａは、ＣＣ３を使用して伝送されてもよく、ユーザデータストリーム３１０ｂは、ＣＣ２を使用して伝送されてもよく、対応する制御データストリーム３２０ｂは、ＣＣ１を使用して伝送されてもよく、ユーザデータストリーム３１０ｃは、ＣＣ３を使用して伝送されてもよく、対応する制御データストリーム３２０ｃは、ＣＣ２を使用して伝送されてもよい。
【００１４】
図４は、複数のユーザデータストリーム４１０ａ、４１０ｂ、および４１０ｃと、ユーザデータストリーム４１０ａ、４１０ｂ、４１０ｃに対応する共有制御データストリーム４２０とを転送するために使用され得る結合符号化方式４００の実施形態を例示する。ユーザデータストリーム４１０ａ、４１０ｂ、および４１０ｃは、複数のＰＤＳＣＨを介して、複数のＣＣ、ＣＣ１、ＣＣ２、およびＣＣ３を使用して伝送されてもよく、共有制御データストリーム４２０は、ＰＤＳＣＨと関連付けられた１つのＰＤＣＣＨを介して伝送されてもよい。具体的には、異なるユーザデータストリーム４１０ａ、４１０ｂ、および４１０ｃは、異なるＣＣ、ＣＣ１、ＣＣ２、およびＣＣ３を使用して伝送されてもよく、共有制御データストリーム４２０は、１つのＣＣを使用して伝送されてもよい。例えば、ユーザデータストリーム４１０ａは、ＣＣ１を使用して伝送されてもよく、ユーザデータストリーム４１０ｂおよび共有制御データストリーム４２０は、ＣＣ２を使用して伝送されてもよく、ユーザデータストリーム４１０ｃは、ＣＣ３を使用して伝送されてもよい。
【００１５】
図５は、また、複数のユーザデータストリーム５１０ａ、５１０ｂ、および５１０ｃと、ユーザデータストリーム５１０ａ、５１０ｂ、および５１０ｃに対応する共有制御データストリーム５２０を転送するために使用され得る、結合符号化方式５００の実施形態を例示する。結合符号化方式４００同様に、ユーザデータストリーム５１０は、複数のＰＤＳＣＨを介して、複数のＣＣ、ＣＣ１、ＣＣ２、およびＣＣ３を使用して伝送されてもよく、異なるユーザデータストリーム５１０ａ、５１０ｂ、および５１０ｃは、異なるＣＣ、ＣＣ１、ＣＣ２、およびＣＣ３を使用して伝送されてもよい。また、共有制御データストリーム５２０は、ＰＤＳＣＨと関連付けられた１つのＰＤＣＣＨを介して、伝送されてもよい。しかしながら、共有制御データストリーム５２０は、ＣＣ、ＣＣ１、ＣＣ２、およびＣＣ３の全部または少なくとも一部の組み合わされた帯域幅を使用して伝送されてもよい。例えば、ユーザデータストリーム５１０ａは、ＣＣ１を使用して伝送されてもよく、ユーザデータストリーム５１０ｂは、ＣＣ２を使用して伝送されてもよく、ユーザデータストリーム５１０ｃは、ＣＣ３を使用して伝送されてもよい。さらに、共有制御データストリーム５２０は、ＣＣ１、ＣＣ２、およびＣＣ３を使用して伝送されてもよく、その場合、各ＣＣは、共有制御データストリーム５２０の一部を伝送するために使用されてもよい。
【００１６】
ある実施形態では、ＵＥ１１０は、半静的構成を使用して、ＰＤＳＣＨを介して、ユーザデータを伝送してもよい。故に、少なくとも１つのＣＣは、サブフレームの約継続時間、例えば、約１ミリ秒を超え得るある時間間隔において、ユーザデータに割り当てられてもよい。例えば、ＰＤＳＣＨを介したＣＣの切替えまたは再割当の間の時間遅延は、約数秒または分に等しくてもよい。半構成の時間間隔は、動的構成において使用され得る時間間隔を上回ってもよく、サブフレームの約継続時間または約１ミリ秒に等しくてもよい。したがって、ＣＣは、半静的構成を使用して、より低頻度に割当または切替えが行われ、手順の複雑性を緩和し、通信ひいては電力消費、あるいは両方を低減させ得る。
【００１７】
図６は、ＰＤＳＣＨのために、複数のＣＣを構成するための方法６００の実施形態を例示する。ブロック６１０では、アクセスデバイス１２０は、信号伝達プロトコルおよび半静的構成を使用して、ＰＤＳＣＨのためのＣＣをＵＥ１１０に割り当ててもよい。例えば、呼設定の際、アクセスデバイス１２０は、ＵＥ１１０に、ＲＲＣプロトコルを使用して、ＰＤＳＣＨのための少なくとも１つのＣＣに関する情報を信号伝達してもよい。ＲＲＣプロトコルは、ＵＥとネットワークノードまたは他のＬＴＥ機器との間の割当、構成、および無線リソースの放出に関与してもよい。ＲＲＣプロトコルは、３ＧＰＰ  Ｔｅｃｈｎｉｃａｌ  Ｓｐｅｃｉｆｉｃａｔｉｏｎ（ＴＳ）３６．３３１に詳述されている。ＲＲＣプロトコルに従って、ＵＥのための２つの基礎ＲＲＣは、「アイドルモード」および「接続モード」として定義される。接続モードまたは状態の間、ＵＥは、ネットワークと信号を交換し、他の関連動作を行ってもよい一方、アイドルモードまたは状態の間、ＵＥは、その接続モード動作のうちの少なくともいくつかを停止してもよい。アイドルおよび接続モード挙動は、３ＧＰＰ  ＴＳ  ３６．３０４およびＴＳ  ３６．３３１に詳述されている。代替として、アクセスデバイス１２０は、ＲＲＣ信号伝達より信頼性が低くあり得るＭＡＣ制御要素を使用して、ＣＣを割り当ててもよい。ブロック６２０では、アクセスデバイス１２０は、割り当てられたＣＣを使用して、ＰＤＳＣＨを介して、ユーザデータをＵＥ１１０に伝送してもよい。ブロック６３０では、アクセスデバイス１２０は、信号伝達プロトコルを使用して、ＰＤＳＣＨのためのＣＣを再構成してもよい。例えば、呼の間、アクセスデバイス１２０は、ＲＲＣ信号伝達またはＭＡＣ制御要素を経由して、ＣＣのうちの少なくともいくつかをＵＥ１１０に切り替えるか、または再割り当てしてもよい。ＣＣ再構成の信頼性を向上させるために割り当てられたＣＣ情報は、例えば、ＲＲＣまたはＭＡＣ信号内の「開始時間」を使用して、アクセスデバイス１２０とＵＥ１１０との間で同期されてもよい。開始時間は、呼始動時間等の基準時間に対してオフセットされた時間であってもよく、または絶対時間であってもよい。代替として、割り当てられたＣＣ情報は、Ｒ８規格に従って、同期されてもよい。
【００１８】
ある実施形態では、アクセスデバイス１２０が、ＣＣを再構成すると、再割り当てされるＣＣの数量は、ＵＥ１１０に以前に割り当てられたＣＣの数量と異なってもよい。例えば、ＵＥ１１０は、最初に、最大数のＣＣ（例えば、約５つのＣＣに等しい）が割り当てられてもよく、次いで、最大数未満のＣＣが再割り当てされてもよい。アクセスデバイス１２０は、割り当てられたＣＣの数を減少させ、ＵＥ１１０の接続モードまたは状態の継続時間を短縮し、ＵＥ１１０のバッテリ電力の一部を節約してもよい。また、アクセスデバイス１２０は、割り当てられたＣＣの数を減少させ、ネットワーク内のＣＣの負荷均衡を確立してもよい。例えば、アクセスデバイス１２０は、第１のＵＥ１１０から第２のＵＥ１１０までのＣＣのうちのいくつかを再割り当てすることによって、第１のＵＥ１１０のためのＣＣの数を減少させて、新しい接続を確立してもよい。いくつかの実施形態では、ＵＥ１１０のために割り当てられるＣＣの数は、ＵＥ１１０のための伝送データ速度の増大に対応するために、増加させられてもよい。
【００１９】
加えて、アクセスデバイス１２０は、例えば、半静的構成およびＲＲＣ信号伝達またはＭＡＣ信号伝達等の信号伝達プロトコルを使用して、ＰＤＳＣＨのためのＣＣ再構成と実質的に同様に、ＰＤＣＣＨのための複数のＣＣの割当および／または切替えを行ってもよい。例えば、分離符号化の場合、複数のＰＤＣＣＨは、複数のＰＤＳＣＨと関連付けられてもよく、同一ＣＣは、単一のパラメータまたはインジケータを使用して、任意のＰＤＳＣＨおよびその関連付けられたＰＤＣＣＨのために、信号伝達されてもよい。ＰＤＳＣＨが、その関連付けられたＰＤＣＣＨと異なるＣＣを割り割れられ得るいくつかの分離符号化方式では、ＰＤＳＣＨおよびその関連付けられたＰＤＣＣＨのためのＣＣを信号伝達する際に、２つのパラメータが使用されてもよい。
【００２０】
１つのＰＤＣＣＨが、複数のＰＤＳＣＨと関連付けられ得る結合符号化の場合、ＰＤＣＣＨのために割り当てられるＣＣは、ＰＤＳＣＨのために割り当てられるＣＣと異なってもよい。例えば、約６０ＭＨｚの組み合わされた帯域幅を備える３つのＣＣが、ＰＤＳＣＨのために割り当てられてもよく、１つまたは２つのＣＣが、ＰＤＣＣＨのために割り当てられてもよい。故に、２つのパラメータが、ＲＲＣまたはＭＡＣ信号伝達を使用して、ＰＤＳＣＨおよびＰＤＣＣＨのために信号伝達されてもよい。ある実施形態では、ビットマップが、ＰＤＳＣＨおよびＰＤＣＣＨのためのＣＣを信号伝達し、信号伝達オーバーヘッドを低減させるために使用されてもよい。例えば、ＰＤＳＣＨのための３つのＣＣおよびＰＤＣＣＨのための２つのＣＣを信号伝達するために、信号伝達されるビットマップ内に５ビットが設定されてもよい。
【００２１】
ある実施形態では、ＣＣは、ＰＤＳＣＨおよびＰＤＣＣＨと実質的に同様に、ＰＵＳＣＨおよびＰＵＣＣＨ等のＵＬのために割り当てられてもよい。例えば、半静的構成および信号伝達プロトコルは、任意のＵＬおよびその関連付けられたＰＵＣＣＨのために、複数のＣＣの割当および／または切替えを行うために使用されてもよい。さらに、ＣＣは、分離符号化方式において、ＵＬおよびその関連付けられたＰＵＣＣＨのための同一パラメータを使用して、または結合符号化方式において、ビットマップを使用して信号伝達されてもよい。
【００２２】
上記で説明されるＵＡ１１０および他のコンポーネントは、上記で説明される動作に関する命令を実行することが可能である処理コンポーネントを含む場合がある。図７は、本明細書で開示される１つ以上の実施形態を実装するために好適な処理コンポーネント７００を含む、システム７１０の実施例を図示する。プロセッサ７１０（中央プロセッサユニットまたはＣＰＵと呼ばれてもよい）に加えて、システム７００は、ネットワーク接続デバイス７２０、ランダムアクセスメモリ（ＲＡＭ）７３０、読取り専用メモリ（ＲＯＭ）７４０、二次記憶装置７５０、入出力（Ｉ／Ｏ）デバイス７６０を含む場合がある。これらのコンポーネントは、バス（７７０）を介して互いに通信してもよい。これらのコンポーネントは、存在しなくてもよく、または、相互と、あるいは示されていない他のコンポーネントと、種々の組み合わせで組み合わせられてもよい。これらのコンポーネントは、単一の物理的実体に、または１つより多くの物理的実体に位置する場合がある。プロセッサ７１０によって行われるものとして本明細書で説明される任意の動作は、プロセッサ７１０によって単独で、またはＤＳＰ７０２等、図面に示されているか、または示されていない１つ以上のコンポーネントと併せてプロセッサ７１０によって行われる場合がある。ＤＳＰ７０２は、別個のコンポーネントとして示されているが、ＤＳＰ７０２はプロセッサ７１０に組み込まれる場合がある。
【００２３】
プロセッサ７１０は、それがネットワーク接続デバイス７２０、ＲＡＭ７３０、ＲＯＭ７４０、または二次記憶装置７５０（ハードディスク、フロッピーディスク（登録商標）、または光ディスク等、種々のディスクベースのシステムを含む場合がある）からアクセスする場合がある、命令、コード、コンピュータプログラム、またはスクリプトを実行する。１つだけのＣＰＵ７１０が示されているが、複数のプロセッサが存在してもよい。したがって、命令は、プロセッサによって実行されるものとして論議されてもよいが、命令は、同時に、連続的に、または別様に、１つまたは複数のプロセッサによって実行されてもよい。プロセッサ７１０は、１つ以上のＣＰＵチップとして実装されてもよい。
【００２４】
ネットワーク接続デバイス７２０は、モデム、モデムバンク、イーサネット（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ（登録商標））無線送受信機デバイス等の無線送受信機デバイス、マイクロ波アクセス用の世界的相互運用性（ＷｉＭＡＸ）デバイス、および／またはネットワークに接続するための他の周知のデバイスの形態を成してもよい。これらのネットワーク接続デバイス７２０は、プロセッサ７１０が情報を受信する場合がある、またはプロセッサ７１０が情報を出力する場合がある、インターネットまたは１つ以上の電気通信ネットワーク、あるいは他のネットワークと、プロセッサ７１０が通信することを可能にしてもよい。ネットワーク接続デバイス７２０はまた、無線でデータを伝送および／または受信することが可能な１つ以上の送受信機コンポーネント７２５を含む場合がある。
【００２５】
ＲＡＭ７３０は、揮発性データを記憶するために、および、おそらくプロセッサ７１０によって実行される命令を記憶するために使用される場合がある。ＲＯＭ７４０は、典型的には、二次記憶装置７５０のメモリ容量よりも小さいメモリ容量を有する、不揮発性メモリデバイスである。ＲＯＭ７４０は、命令、およびおそらく命令の実行中に読み出されるデータを記憶するために、使用される場合がある。ＲＡＭ７３０およびＲＯＭ７４０の両方へのアクセスは、典型的には、二次記憶装置７５０へのアクセスよりも速い。二次記憶装置７５０は、典型的には、１つ以上のディスクドライブまたはテープドライブから成り、ＲＡＭ７３０が全作業データを保持するほど十分に大きくない場合に、データの不揮発性記憶のために、またはオーバーフローデータ記憶デバイスとして使用される場合がある。二次記憶装置７５０は、ＲＡＭ７３０にロードされるプログラムが実行のために選択されると、そのようなプログラムを記憶するために使用されてもよい。
【００２６】
Ｉ／Ｏデバイス７６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入出力デバイスを含んでもよい。また、送受信機７２５は、ネットワーク接続デバイス７２０のコンポーネントである代わりに、またはそれに加えて、Ｉ／Ｏデバイス７６０のコンポーネントと見なされる場合がある。
【００２７】
以下は、あらゆる目的のために、参照することによって、本明細書に組み込まれる：３ＧＰＰ  ＴＳ  ３６．２１２、３ＧＰＰ  ＴＳ  ３６．２１３、３ＧＰＰ  ＴＳ  ３６．３０４、３ＧＰＰ  ＴＳ  ３６．３３１、３ＧＰＰ  ＴＳ  ３６．８１４、およびＲ１−０９０３７５。
【００２８】
ある実施形態では、ＰＤＳＣＨのための少なくとも１つのＣＣを構成するための方法が提供される。方法は、信号伝達プロトコルを使用して、ＣＣ構成を受信するステップを含み、ＣＣは、半静的構成を使用して割り当てられる。
【００２９】
ある実施形態では、ＰＤＳＣＨのためのＣＣを構成するための方法は、信号伝達プロトコルを使用して、ＰＤＳＣＨと関連付けられたＰＤＣＣＨのための少なくとも１つのＣＣのＣＣ構成を受信するステップをさらに備え、ＣＣは、半静的構成を使用して、割り当てられる。
【００３０】
ある実施形態では、ＰＤＳＣＨのためのＣＣを構成する方法は、信号伝達プロトコルを使用して、ＵＬのための少なくとも１つのＣＣのＣＣ構成を伝送するステップをさらに備え、ＣＣは、半静的構成を使用して割り当てられる。
【００３１】
ある実施形態では、ＰＤＳＣＨのためのＣＣを構成する方法は、信号伝達プロトコルを使用して、ＵＬと関連付けられたＰＵＣＣＨのための少なくとも１つのＣＣのＣＣ構成を伝送するステップをさらに備え、ＣＣは、半静的構成を使用して、割り当てられる。
【００３２】
別の実施形態では、ＰＤＳＣＨのための少なくとも１つのＣＣを構成する方法が提供される。方法は、信号伝達プロトコルを使用して、ＣＣ構成を伝送するステップを含み、ＣＣは、半静的構成を使用して割り当てられる。
【００３３】
別の実施形態では、ＵＥが、提供される。ＵＥは、信号伝達プロトコルを使用して、ＰＤＳＣＨのための少なくとも１つのＣＣのＣＣ構成を受信するように構成されるプロセッサを含み、ＣＣは、半静的構成を使用して割り当てられる。
【００３４】
別の実施形態では、アクセスノードが提供される。アクセスノードは、信号伝達プロトコルを使用して、ＰＤＳＣＨのための少なくとも１つのＣＣのＣＣ構成を伝送するように構成されるプロセッサを含み、ＣＣは、半静的構成を使用して割り当てられる。
【００３５】
いくつかの実施形態を本開示において提供したが、開示されたシステムおよび方法は、本開示の精神または範囲から逸脱することなく、多くの他の具体的形態で具現化されてもよいことを理解されたい。本実施例は、限定的ではなく例示的と見なされるものであり、本明細書で与えられる詳細に限定されることを意図するものではない。例えば、種々の要素またはコンポーネントが組み合わされるか、または別のシステムに統合されてもよく、または、ある特徴が省略されるか、あるいは実装されなくてもよい。
【００３６】
また、個別または別個のものとして種々の実施形態において説明および例示される、技術、システム、サブシステム、および方法は、本開示の範囲から逸脱することなく、他のシステム、モジュール、技術、または方法と組み合わされるか、あるいは統合されてもよい。相互に連結されるか、または直接連結されるか、あるいは通信するものとして示されるか、または論議される他の項目は、電気的であろうと、機械的であろうと、または別の方法であろうと、何らかのインターフェース、デバイス、または中間コンポーネントを介して、間接的に連結されるか、または通信してもよい。変更、置換、および改変の他の実施例が、当業者によって究明可能であり、本明細書で開示される精神および範囲から逸脱することなく行うことができる。
【図１】
2012522472.tif 000003
【図２】
2012522472.tif 000004
【図３】
2012522472.tif 000005
【図４】
2012522472.tif 000006
【図５】
2012522472.tif 000007
【図６】
2012522472.tif 000008
【図７】
2012522472.tif 000009
【国際調査報告】
2012522472.tif 000010
2012522472.tif 000011